(57)【要約】バイタルサインの確認を容易に行うことができるバイタルサイン表示方法およびその方法を提供することを目的とする。サークルレーダ（５０）の中央には、バイタルサイン項目名が表示される。サークルレーダ（５０）のサークル部分は、例えば測定開始時にはグレー色とする。サークルレーダ（５０）は、測定時間に応じて表示ポイントを時計回りに移動していき、ＶＰＣ（心室性期外収縮）が未発生であれば緑色とし、ＶＰＣが発生していれば赤色とする。
2004019779.tif 000002
【特許請求の範囲】
【請求項１】
バイタルサインを表示するバイタルサイン表示装置であって、
前記バイタルサイン表示装置は、
生体信号を取得する生体信号取得手段、
前記取得した生体信号に基づいて、その生体信号によって示される生体の状態が異常状態かどうかを判断する判断手段、
前記判断手段の結果に基づいて、前記生体信号を、異常状態かどうかを判別可能となるようなバイタルサインにして表示し、さらに、そのバイタルサインの履歴が確認できるようにバイタルサインの経過順に連ねて表示するバイタルサイン表示手段、
を備えたことを特徴とするバイタルサイン表示装置。
【請求項２】
コンピュータを、バイタルサインを表示するバイタルサイン表示装置として機能させるための、コンピュータ読取可能なプログラムまたはそのプログラムを記録した記録媒体であって、
前記プログラムは、前記コンピュータを以下の、
生体信号を取得する生体信号取得手段、
前記取得した生体信号に基づいて、その生体信号によって示される生体の状態が異常状態かどうかを判断する判断手段、
前記判断手段の結果に基づいて、前記生体信号を、異常状態かどうかを判別可能となるようなバイタルサインにして表示し、さらに、そのバイタルサインの履歴が確認できるようにバイタルサインの経過順に連ねて表示するバイタルサイン表示手段、
を備えたバイタルサイン表示装置として機能させるためのプログラムまたはそのプログラムを記録した記録媒体。
【請求項３】
バイタルサインを表示するバイタルサイン表示装置であって、
前記バイタルサイン表示装置は、
生体信号または生体信号に基づいて生成される信号を、異常状態かどうかを判別可能となるようなバイタルサインにして表示し、さらに、そのバイタルサインの履歴が確認できるようにバイタルサインの経過順に連ねて表示するバイタルサイン表示手段、
を備えたことを特徴とするバイタルサイン表示装置。
【請求項４】
請求の範囲第１項〜第３項のいずれかに記載の前記バイタルサイン表示装置、または前記プログラムまたは前記記録媒体において、
前記バイタルサインの表示は、そのバイタルサインの経過にしたがって周回形状を描くように行われることを特徴とするもの。
【請求項５】
バイタルサインを表示するバイタルサイン表示装置であって、
前記バイタルサイン表示装置は、
生体信号を取得する生体信号取得手段、
前記取得した生体信号に基づいて、その生体信号によって示される生体の状態が異常状態かどうかを判断する判断手段、
前記判断手段の結果に基づいて、前記生体信号を、異常状態かどうかを判別可能となるようなバイタルサインにして表示し、さらに、その表示を、バイタルサインの経過にしたがって周回形状を描く方向に表示対象を移動させることによって行うバイタルサイン表示手段、
を備えたことを特徴とするバイタルサイン表示装置。
【請求項６】
請求の範囲第１項〜第５項のいずれかに記載の前記バイタルサイン表示装置、または前記プログラムが機能させるバイタルサイン表示装置において、さらに、
前記バイタルサインを表示する表示エリアの全表示時間を、前記バイタルサインの測定所要時間に関連づけて選択する表示形式選択手段、
を備えたことを特徴とするもの。
【請求項７】
請求の範囲第１項〜第６項のいずれかに記載の前記バイタルサイン表示装置、または前記プログラムが機能させるバイタルサイン表示装置において、さらに、
前記バイタルサインの表示に対応づけて、そのバイタルサインの項目名を表示するバイタルサイン項目名表示手段、
を備えたことを特徴とするもの。
【請求項８】
請求の範囲第１項〜第７項のいずれかに記載の前記バイタルサイン表示装置、または前記プログラムまたは前記記録媒体において、
前記バイタルサインの表示は、
前記異常状態の場合に表示形態を変化させることを特徴とするもの。
【請求項９】
請求の範囲第１項〜第８項のいずれかに記載の前記バイタルサイン表示装置、または前記プログラムまたは前記記録媒体において、
前記バイタルサインは、少なくともＶＰＣ（心室性期外収縮）、またはＨＲ（心拍数）、またはＱＴ間隔、またはＳｐＯ２値（血中酸素飽和度）のいずれかに基づく項目を含むこと、
を特徴とするもの。
【請求項１０】
バイタルサインを表示するバイタルサイン表示装置であって、
前記バイタルサイン表示装置のＣＰＵは、
生体信号を取得し、
前記取得した生体信号に基づいて、その生体信号によって示される生体の状態が異常状態かどうかを判断し、
前記判断手段の結果に基づいて、前記生体信号を、異常状態かどうかを判別可能となるようなバイタルサインにして表示する指示を行い、さらに、そのバイタルサインの履歴が確認できるようにバイタルサインの経過順に連ねて表示する指示を行うこと、
を特徴とするバイタルサイン表示装置。
【請求項１１】
バイタルサインを表示するバイタルサイン表示装置であって、
前記バイタルサイン表示装置のＣＰＵは、
生体信号または生体信号に基づいて生成される信号を、異常状態かどうかを判別可能となるようなバイタルサインにして表示する指示を行い、さらに、そのバイタルサインの履歴が確認できるようにバイタルサインの経過順に連ねて表示する指示を行うこと、
を特徴とするバイタルサイン表示装置。
【請求項１２】
バイタルサインを表示するバイタルサイン表示装置であって、
前記バイタルサイン表示装置のＣＰＵは、
生体信号を取得し、
前記取得した生体信号に基づいて、その生体信号によって示される生体の状態が異常状態かどうかを判断し、
前記判断手段の結果に基づいて、前記生体信号を、異常状態かどうかを判別可能となるようなバイタルサインにして表示する指示を行い、さらに、その表示を、バイタルサインの経過にしたがって周回形状を描く方向に表示対象を移動させることによって実行する指示を行うこと、
を特徴とするバイタルサイン表示装置。
【請求項１３】
バイタルサインを表示するバイタルサイン表示物であって、
前記バイタルサイン表示物は、
生体信号が、その生体信号によって示される生体の状態が異常状態かどうかを判別可能となるようなバイタルサインにして表示されており、さらに、そのバイタルサインの履歴が確認できるようにバイタルサインの経過順に連ねて表示されていること、
を特徴とするバイタルサイン表示物。
【請求項１４】
バイタルサインを表示するバイタルサイン表示方法であって、
前記バイタルサイン表示方法は、
生体信号を取得し、
前記取得した生体信号に基づいて、その生体信号によって示される生体の状態が異常状態かどうかを判断し、
前記判断の結果に基づいて、前記生体信号を、異常状態かどうかを判別可能となるようなバイタルサインにして表示し、さらに、そのバイタルサインの履歴が確認できるようにバイタルサインの経過順に連ねて表示すること、
を含むことを特徴とするバイタルサイン表示方法。
【請求項１５】
バイタルサインを表示するバイタルサイン表示方法であって、
前記バイタルサイン表示方法は、
生体信号を取得し、
前記取得した生体信号に基づいて、その生体信号によって示される生体の状態が異常状態かどうかを判断し、
前記判断の結果に基づいて、前記生体信号を、異常状態かどうかを判別可能となるようなバイタルサインにして表示し、さらに、その表示を、バイタルサインの経過にしたがって周回形状を描く方向に表示対象を移動させることによって行うこと、
を含むことを特徴とするバイタルサイン表示方法。
【発明の詳細な説明】
関連出願の参照
日本国特許出願２００２−２４６６２７号（平成１４年８月２７日出願）の明細書、請求の範囲、図面および要約を含む全開示内容は、これら全開示内容を参照することによって本出願に合体される。
【技術分野】  この発明は、バイタルサイン表示装置およびその方法に関するものであり、特に、生体信号の確認を容易にするものに関する。
【背景技術】  血圧や心電図などの生体情報を表示する技術分野において、生体情報の確認を容易にする技術が開発されている。そのような技術として、例えば、心拍数やＳＴレベルなどの心電図パラメータ・トレンドグラフを表示し、発作時心電図データに対応した時刻位置にイベントマークを表示する技術がある（例えば、特許文献１参照）。特許文献１：特開平４−３５２９３９号公報（第８図）。
以上のような技術によれば、イベントマークによって例えば発作時を特定することが可能となる。すなわち、既存の技術によれば、どの時点において生体情報の異常値が発生したかという情報を得ることができる。
しかしながら、医療現場においては、そのような個別の異常値の特定だけでなく、より包括的な生体情報の確認を、視覚的に容易に行うことができる技術が要求される場合がある。
【発明の開示】
この発明は、上記のような要求に鑑みて、生体情報の確認を容易に行うことができるバイタルサイン表示装置およびその方法を提供することを目的とする。
１）本発明のバイタルサイン表示装置は、
バイタルサインを表示するバイタルサイン表示装置であって、
生体信号を取得する生体信号取得手段、
前記取得した生体信号に基づいて、その生体信号によって示される生体の状態が異常状態かどうかを判断する判断手段、
前記判断手段の結果に基づいて、前記生体信号を、異常状態かどうかを判別可能となるようなバイタルサインにして表示し、さらに、そのバイタルサインの履歴が確認できるようにバイタルサインの経過順に連ねて表示するバイタルサイン表示手段、
を備えたことを特徴としている。
これらの特徴により、前記バイタルサイン表示手段の出力結果を利用するユーザは、前記生体が正常状態または異常状態のいずれであるかを容易に確認することができる。また、前記バイタルサインの履歴が確認できるように時系列順に連ねて表示されるため、例えば、いつごろ、どのような頻度で異常状態が起こったかということを容易に確認することができる。
３）本発明のバイタルサイン表示装置は、
バイタルサインを表示するバイタルサイン表示装置であって、
前記バイタルサイン表示装置は、
生体信号または生体信号に基づいて生成される信号を、異常状態かどうかを判別可能となるようなバイタルサインにして表示し、さらに、そのバイタルサインの履歴が確認できるようにバイタルサインの経過順に連ねて表示するバイタルサイン表示手段、
を備えたことを特徴としている。
これらの特徴により、前記バイタルサイン表示手段の出力結果を利用するユーザは、前記生体が正常状態または異常状態のいずれであるかを容易に確認することができる。また、前記バイタルサインの履歴が確認できるように測定順に連ねて表示されるため、例えば、いつごろ、どのような頻度で異常状態が起こったかということを容易に確認することができる。
４）本発明のバイタルサイン表示装置において、
前記バイタルサインの表示は、そのバイタルサインの経過にしたがって周回形状を描くように行われることを特徴としている。
この特徴により、測定経過にしたがって前記バイタルサインの表示エリアが延長したり、拡大したりすることを低減することができる。したがって、前記バイタルサイン表示手段の出力結果を利用するユーザは、バイタルサインの全体的な傾向の視認を容易に行うことができる。
５）本発明のバイタルサイン表示装置は、
バイタルサインを表示するバイタルサイン表示装置であって、
前記バイタルサイン表示装置は、
生体信号を取得する生体信号取得手段、
前記取得した生体信号に基づいて、その生体信号によって示される生体の状態が異常状態かどうかを判断する判断手段、
前記判断手段の結果に基づいて、前記生体信号を、異常状態かどうかを判別可能となるようなバイタルサインにして表示し、さらに、その表示を、バイタルサインの経過にしたがって周回形状を描く方向に表示対象を移動させることによって行うバイタルサイン表示手段、
を備えたことを特徴としている。
これらの特徴により、前記バイタルサイン表示手段の出力結果を利用するユーザは、前記生体が正常状態または異常状態のいずれであるかを容易に確認することができる。
６）本発明のバイタルサイン表示装置は、さらに、
前記バイタルサインを表示する表示エリアの全表示時間を、前記バイタルサインの測定所要時間に関連づけて選択する表示形式選択手段、
を備えたことを特徴としている。
この特徴により、前記表示エリアの表示時間は、前記バイタルサインの測定所要時間に応じて調整可能となる。
７）本発明のバイタルサイン表示装置は、さらに、
前記バイタルサインの表示に対応づけて、そのバイタルサインの項目名を表示するバイタルサイン項目名表示手段、
を備えたことを特徴としている。
この特徴により、前記バイタルサイン表示手段の出力結果を利用するユーザは、前記バイタルサインの状態が、いずれのバイタルサインの項目に関連するのかということを容易に確認することができる。
８）本発明のバイタルサイン表示装置において、
前記バイタルサインの表示は、
前記異常状態の場合に表示形態を変化させることを特徴としている。
この特徴により、前記バイタルサイン表示手段の出力結果を利用するユーザは、生体の異常状態を容易に視認することが可能となる。
９）本発明のバイタルサイン表示装置において、
前記バイタルサインは、少なくともＶＰＣ（心室性期外収縮）、またはＨＲ（心拍数）、またはＱＴ間隔、またはＳｐＯ２値（血中酸素飽和度）のいずれかに基づく項目を含むこと、
を特徴としている。
この特徴により、前記バイタルサイン表示手段の出力結果を利用するユーザは、前記ＶＰＣ、またはＨＲ、またはＱＴ間隔、またはＳｐＯ２値のいずれかのバイタルサインを容易に認識することができる。
１３）本発明のバイタルサイン表示物は、
生体信号が、その生体信号によって示される生体の状態が異常状態かどうかを判別可能となるようなバイタルサインにして表示されており、さらに、そのバイタルサインの履歴が確認できるようにバイタルサインの経過順に連ねて表示されていること、
を特徴としている。
この特徴により、前記バイタルサイン表示物を利用するユーザは、前記生体が正常状態または異常状態のいずれであるかを容易に確認することができる。また、前記バイタルサインの履歴が確認できるように時系列順に連ねて表示されるため、例えば、いつごろ、どのような頻度で異常状態が起こったかということを容易に確認することができる。
以下、用語の定義について説明する。
この発明において、
「生体信号」とは、生体情報、または病態情報一般を含む概念である。この「生体信号」には、単独の生体情報を示す値（パラメータ）、または、複数の生体情報に基づいて表現される情報等が含まれる。
「バイタルサイン」とは、生体信号に基づいて、その生体信号によって示される生体の状態が異常状態であるかを判別可能となるように表示するもの一般を含む概念である。例えば、生体の状態が正常状態または異常状態のいずれであるかを判別可能にするための所定の符号、または記号、またはマーク、または数字、または文字等のほか、生体信号が正常状態または異常状態のいずれであるかを判別可能にするために、表示対象を変形すること、または表示対象の色を変化させること等がこの概念に含まれる。
「バイタルサイン項目名」とは、生体情報一般に関連する事項を表現した名称を含む概念である。例えば、生体情報に関連する事項を表現するパラメータ名、または病態名、または診断名等がこの概念に含まれる。
「正常状態」とは、疾患状態がないと判断できる場合のほか、正しい（普通の）状態である場合、または異常状態でない場合等を含む概念である。例えば、生体情報を表す値が、生体状態が良好な場合の値の範囲内にある場合や、生体情報が、所定の判定手法によって異常状態と判定されない場合の状態がこの概念に含まれる。
「異常状態」とは、生体情報一般から判断して疾患状態がある場合のほか、正しい（普通の）状態ではない状態、または正常状態でない場合等を含む概念である。例えば、生体情報を表す値が、生体状態が良好な場合の値の範囲外にある場合や、生体情報が、所定の判定手法によって異常状態と判定される場合の状態がこの概念に含まれる。
「生体の状態が異常状態かどうかを判断」とは、異常状態の有無（または異常状態の程度）を判断する場合、または、正常状態の有無（または正常状態の程度）を判断する場合、または、正常状態または異常状態のいずれであるか（またはそれらの状態の程度）を判断する場合を含む。
「周回形状」とは、形状に沿って一巡することが可能な形状一般を含む概念である。例えば、直線、または曲線、または直線または曲線の組み合わせによって構成されるループ形状、またはリング形状、サークル形状、円形形状、楕円形状、ドーナツ形状、環状形状、多角形形状等がこの概念に含まれる。
本発明の特徴は、上記のように広く示すことができるが、その構成や内容は、それらの特徴および効果とともに、図面を考慮に入れた上で以下の開示によりさらに明らかになるであろう。
【図面の簡単な説明】  図１Ａ、図１Ｂ、図１Ｃ、図１Ｄは、実施形態によるバイタルサインサークルレーダ表示の概略図である。
図２は、バイタルサインサークルレーダ装置の機能ブロック図である。
図３は、バイタルサインサークルレーダ装置のハードウェア構成例である。
図４は、バイタルサインサークルレーダのディスプレイ表示例である。
図５は、記録された心電波形データを模式的にグラフによって表したものである。
図６は、バイタルサインサークルレーダ作成処理のフローチャートである。
図７は、異常判定処理（ＶＰＣの場合）のフローチャートである。
図８は、異常判定処理（ＨＲの場合）のフローチャートである。
図９は、異常判定処理（ＱＴの場合）のフローチャートである。
図１０は、異常判定処理（ＳｐＯ２値の場合）のフローチャートである。
図１１Ａ、図１１Ｂ、図１１Ｃは、バイタルサインサークルレーダのディスプレイ表示の変形例である。
【発明を実施するための最良の形態】  本発明にかかる「バイタルサイン表示装置」の実施形態としてのバイタルサインサークルレーダ装置を説明する。本実施形態は、患者の心電図データ等をバイタルサインサークルレーダとしてディスプレイ表示する処理を例示するものである。本実施形態によれば、例えば患者を搬送中に、いつごろ、どのくらいの頻度で患者の異常状態が起こったかという情報を視覚的に容易に得ることができる。
以下、本実施形態の概略、装置のハードウェア構成、特許請求の範囲に記載した用語と実施形態との対応を説明し、次に、実施形態の説明等を行う。
目次
１．バイタルサインサークルレーダの表示概略
２．ハードウェア構成等
３．特許請求の範囲に記載した用語と実施形態との対応
４．バイタルサインサークルレーダのディスプレイ表示例
５．バイタルサインサークルレーダ作成処理
６．実施形態による効果
７．バイタルサインサークルレーダ装置のその他の機能
８．その他の実施形態等
−−１．バイタルサインサークルレーダの表示概略−−
バイタルサインサークルレーダとは、患者の心電図等から得られるバイタルサインをディスプレイ表示したものである。このディスプレイ表示を行うバイタルサインサークルレーダ装置１００については後述する。この装置は、救急現場、救急車内、病院内での使用に好適であり、実施形態では、例示として、患者搬送中の救急車内で救急救命士が使用する場合を説明する。
図１は、バイタルサインサークルレーダの表示の概略図である。図１Ａ、Ｂ、Ｃ、Ｄは、それぞれ時系列順に、ディスプレイ１４にバイタルサインの一つである「ｖｅｎｔｒｉｃｕｌａｒ  ｐｒｅｍａｔｕｒｅ  ｃｏｎｔｒａｃｔｉｏｎ（ＶＰＣ）（心室性期外収縮）」の発生の有無をサークルレーダ５０で表示する例を示すものである。サークルレーダ５０の１周は、測定時間２０分に対応する。
図１Ａの矢印４０に示すように、サークルレーダ５０は、測定時間に応じて表示ポイントを時計回りに移動していく（バイタルサインの経過にしたがって周回形状を描く方向に表示対象を移動）。サークルレーダ５０の中央には、バイタルサイン項目名が表示される。サークルレーダ５０のサークル部分（リング部分、ドーナツリング部分）は、測定開始時にはグレー色とする。そして、測定を開始した後は、心拍一回毎にバイタルサインの異常判定が行われるとともに、この表示ポイントが時計回りに移動し（図１Ａの矢印４０参照）、その異常判定の結果に応じてリング部分のカラー（色彩）が変化する。つまり、サークルレーダ５０は、正常状態または異常状態のいずれであるかを判別可能となるような表示形態としている。具体的には、ＶＰＣが未発生（正常状態）であれば緑色とし、ＶＰＣが発生（異常状態）していれば赤色とする（「表示形態を変化させる」）。図では、便宜上、ＶＰＣの未発生時であれば白色、ＶＰＣの発生時であれば黒色で表現している。このように、正常状態および異常状態については、サークル部分のグレー色とは違う色を採用することによって、測定経過または現在の表示位置が容易に視認できるようにしている。具体的には、図１Ａにおいては、現在のバイタルサイン（ＶＰＣ）が正常状態の状況にあることを示している。
図１Ｂは、ＶＰＣ発生時のディスプレイ１４の表示例を示す。図１Ｂに示すように、ある測定時間においてＶＰＣが発生していれば、そのときの表示ポイントを赤色に描画（ペイント処理）する。具体的には、図１Ｂにおいては、現在のバイタルサイン（ＶＰＣ）が異常状態の状況にあることを示している。
図１Ｃは、図１Ｂに示す状態よりもさらに測定時間が進行した状態でのディスプレイ１４の表示例を示す。図に示すように、サークルレーダ５０は、ＶＰＣが発生した時点で赤色を描画を示しており、装置のユーザは、この赤色の部分を視認することによって、いつごろ、または、どのような頻度でＶＰＣが発生したか（心室性期外収縮が発生したか）という異常状態の履歴（バイタルサインの履歴）を確認することができる。具体的には、図１Ｃにおいては、現在のバイタルサイン（ＶＰＣ）が発生した状況（異常状態の状況）にあること、および、数回の異常状態の履歴があることを示している。また、赤色で描画される幅が広ければ広いほど、異常状態が連続していることを示している。
図１Ｄは、測定時間が２０分を超えた場合のディスプレイ１４の表示例を示す。測定時間が２０分を超えた場合には、サークルレーダ５０の表示ポイントは１周を超えることになるため、１周目の表示を上書きしつつ（１周目の表示を消去しつつ）、表示ポイントの現在位置の後ろ所定の幅をグレー色に変更した状態（図１Ｄの記号４１参照）で、１周目と同様の異常判定を行う。具体的には、図１Ｄにおいては、現在のバイタルサイン（ＶＰＣ）が未発生の状況（正常状態の状況）にあること、および、測定時間が２０分を超えていること（２週目、または２週目以上であること）、および、過去２０分間に数回の異常状態の履歴があることを示している。
なお、上記したバイタルサインのサークルレーダ５０の形状・色彩、正常状態時または異常状態時の色彩は例示であって、当業者に周知の手段によって変形可能である。
図１の矢印４０は、表示ポイントの移動を説明するために示すものであり、ディスプレイ１４上には実際には表示されないものである。ただし、バイタルサインの表示ポイントの移動方向、または表示位置が明確になるように、矢印４０（または矢印４０に類似するマーク）をディスプレイ１４に表示するようにしてもよい。
−−２．ハードウェア構成等−−
図２は、バイタルサインサークルレーダ装置１００の機能ブロック図を示す。バイタルサインサークルレーダ装置１００は、生体信号取得手段２、判断手段３、バイタルサイン表示手段４、表示形式選択手段６、バイタルサイン項目名表示手段８を備えている。
生体信号取得手段２は、生体信号を取得する。判断手段３は、生体信号が正常状態または異常状態のいずれであるかを判断する。バイタルサイン表示手段４は、その判断結果を示すバイタルサインをバイタルサインサークルレーダとして表示する。表示形式選択手段６は、バイタルサインサークルレーダの表示形式を選択する。バイタルサイン項目名表示手段８は、バイタルサインサークルレーダに対応づけてバイタルサインの項目名を表示する。
図３は、図２に示すバイタルサインサークルレーダ装置１００をＣＰＵを用いて実現したハードウェア構成の例を示す。バイタルサインサークルレーダ装置１００は、ＣＰＵ１０、増幅アンプ１１、Ａ／Ｄ変換１２、マウス／キーボード１３、ディスプレイ１４（表示装置）、スピーカ１５、通信インターフェース１６、メモリ１７、Ｆｌａｓｈ−ＲＯＭ１８（フラッシュメモリ等の、記憶したデータを電気的に消去できる書き換え可能な読み出し専用メモリ、以下、Ｆ−ＲＯＭ１８とする）、ディスプレイコントローラ１９、ＥＣＧ電極２０（生体信号検出器）を備えている。
ＥＣＧ電極２０は、患者の心電流を測定する電極である。増幅アンプ１１は、ＥＣＧ電極２０によって得られた心電流を増幅するものである。ＣＰＵ１０は、得られた心電流を心電図として表すための心電図データに変換する処理、バイタルサインサークルレーダ作成処理等のほか、バイタルサインサークルレーダ装置１００全体を制御する。Ｆ−ＲＯＭ１８は、バイタルサインサークルレーダ装置１００を制御するためのプログラムを記録する。メモリ１７は、ＣＰＵ１０のワーク領域等を提供する。マウス／キーボード１３またはディスプレイコントローラ１９の操作により生成される操作情報はＣＰＵ１０に入力され、ＣＰＵ１０が生成した画像情報及び音声情報は、ディスプレイ１４、スピーカ１５にそれぞれ出力される。
また、バイタルサインサークルレーダ装置１００は、通信インターフェース１６を介して血中酸素飽和度測定装置２２（生体信号検出器）と接続される。血中酸素飽和度測定装置２２は、患者のＳｐＯ２値を測定するための装置である。実施形態では、通信インターフェース１６の例示として、ＲＳ−２３２Ｃ等を採用する。
本実施形態では、バイタルサインサークルレーダ装置１００のオペレーティングシステム（ＯＳ）の例として、マイクロソフト社のＷｉｎｄｏｗｓ（登録商標）ＸＰ、ＮＴ、２０００、９８ＳＥ、ＭＥ、ＣＥを用いることとする。バイタルサインサークルレーダ装置１００は、ＣＰＵを用いることなく、ハードウェアロジックによって構成してもよい。その他、装置のハードウェア構成、ＣＰＵの構成も、当業者に周知の手段によって変形可能である。
なお、実施形態で説明する「心電図」は、患者の身体の２点間における心電位差を測定することの結果として得られるものである。したがって、実施形態における「心電図の測定」等の表現は、心電位を測定等する概念を含む。
−−３．特許請求の範囲に記載した用語と実施形態との対応−−
特許請求の範囲に記載した用語と実施形態との対応は以下の通りである。
「バイタルサイン表示装置」は、バイタルサインを表示する装置一般を含む概念であり、例えば、実施形態における図３のバイタルサインサークルレーダ装置１００に対応する。「生体信号取得手段」は、生体信号を取得する機能を有するもの一般を含む概念であり、実施形態では、図６ステップＳ６０９の処理を行うバイタルサインサークルレーダ装置１００のＣＰＵ１０に対応する。「生体信号」は、生体信号一般を含む概念であり、実施形態では、図６ステップＳ６０９における認識値データ、またはＳｐＯ２値に対応する。
「判断手段」は、取得した生体信号に基づいて、その生体信号によって示される生体の状態が異常状態かどうかを判断する機能を有するもの一般を含む概念であり、実施形態では、図６ステップＳ６１１、Ｓ６１３の処理を行うＣＰＵ１０に対応する。
「バイタルサイン表示手段」は、バイタルサインを表示する機能を有するもの一般を含む概念であり、実施形態では、図６ステップＳ６１５、Ｓ６１７、またはＳ６１９、Ｓ６２１の処理を行うＣＰＵ１０に対応する。「表示形式選択手段」は、表示形式を選択する機能を有するもの一般を含む概念であり、実施形態では、図６ステップＳ６０５においてサークルレーダ５０の１周の表示時間を設定する処理を行うＣＰＵ１０に対応する。「バイタルサイン項目名表示手段」は、バイタルサインの項目名を表示する機能を有するもの一般を含む概念であり、実施形態では、図６ステップＳ６０７の処理を行うＣＰＵ１０に対応する。
−−４．バイタルサインサークルレーダのディスプレイ表示例−−
以下、バイタルサインサークルレーダのディスプレイ表示例を説明し、次の項でバイタルサインサークルレーダ作成処理の内容を説明する。
図４は、ＣＰＵ１０によるバイタルサインサークルレーダ作成処理によって表示されるディスプレイ表示例を示す。
図に示すように、ディスプレイ１４には、バイタルサインサークルレーダとして、ＶＰＣ（心室性期外収縮）のバイタルサインサークルレーダ５０、Ｈｅａｒｔ  Ｒａｔｅ（ＨＲ）（心拍数）のバイタルサインサークルレーダ５１、ＱＴ（ＱＴ間隔）のバイタルサインサークルレーダ５２、ＳｐＯ２値のバイタルサインサークルレーダ５３が表示される。実施形態では、これらのＶＰＣ、ＨＲ、ＱＴ、ＳｐＯ２の中から、あらかじめユーザによって選択されたもののみをバイタルサインサークルレーダとして表示することとしている。
これらの各バイタルサインサークルレーダには、”１．バイタルサインサークルレーダの表示概略”で説明したように、バイタルサインの状態が表示される。具体的には、バイタルサインサークルレーダにおいて、生体信号の測定時間の経過にしたがって表示ポイントが移動し、生体が異常状態（生体信号が異常値）であればバイタルサインとして異常表示６０（赤色）が表示される。一方、生体が正常状態（生体信号が正常値）であれば、バイタルサインとして正常表示６２（緑色）が表示される。
その他、ディスプレイ１４には、代表誘導として誘導ＩＩから得られる心電図と、血中酸素飽和度測定装置２２から得られるＳｐＯ２値のトレンド等が表示される。これらの心電図とＳｐＯ２値のトレンドは、ユーザの選択によって表示形式を変更可能であり、その他の誘導から得られる心電図を表示したり、あるいは、表示を省略することもできる。なお、実施形態では、代表誘導として、振幅の大きい誘導を自動選択して示すこととしている。
実施形態では、ユーザによって選択されるバイタルサインの項目として、ＶＰＣ、ＨＲ、ＱＴ、ＳｐＯ２値の４つを例示したが、これらに限られるものではなく、採用するバイタルサインの項目は、当業者に周知の手段によって変形可能である。例えば、バイタルサインサークルレーダとしてＶＰＣのみを表示したり、ＶＰＣおよびＳｐＯ２値の組み合わせで表示したり、あるいは、上記４つ以外のバイタルサインの項目（例えば、ＳＴの上昇の異常）のサークルレーダを表示するようにしてもよい。
以上説明したバイタルサインサークルレーダのディスプレイ表示により、バイタルサインサークルレーダ装置１００のユーザは、生体信号の異常が、いつごろ、またはどのくらいの頻度で起こったかという情報を直感的かつ容易に得ることができる。
−−５．バイタルサインサークルレーダ作成処理の内容−−
５−１．バイタルサインサークルレーダ作成処理の前提
バイタルサインサークルレーダ作成処理の前提として、バイタルサインサークルレーダ装置１００のＣＰＵ１０は、患者に身体に取り付けられたＥＣＧ電極２０および増幅アンプ１１を介して１２誘導の心電図を測定して心電波形およびその心電波形の認識値データを抽出する。１２誘導心電図とは、数個から１０数個の電極を生体につけることによって得られる１２パターンの心電図のことをいう。この認識値データは、実施形態における生体信号の異常判定に利用される。また、ＳｐＯ２値は、血中酸素飽和度測定装置２２によって測定される。
図６のフローチャートでは、ＣＰＵ１０が、それらの認識値データおよびＳｐＯ２値の入力を受け付けて、それらをバイタルサインサークルレーダとして表示する処理を示すこととする。
ＣＰＵ１０は、ＥＣＧ電極２０を介して得られるデジタルデータ（心電波形データ）を、１２誘導の各誘導毎に連続的にメモリ１７（またはＦ−ＲＯＭ１８）に記録する。図５は、一つの誘導について、その記録された心電波形データを模式的にグラフ（縦軸：電位（電圧）、横軸：時間）によって表したものである。図５に示すように、ＣＰＵ１０は、心電図のＰ波、Ｑ波、Ｒ波、Ｓ波、ＳＴ部、Ｔ波のいずれかの認識に基づいて、Ｒ（Ｒ電位またはＲ波高）、Ｔ（Ｔ電位またはＴ波高）、Ｑ（Ｑ電位またはＱ波高）、ＳＴ（ＳＴレベル）、ＱＴ（ＱＴ間隔）、ＲＲ（ＲＲ間隔）の各認識値データを抽出してメモリ１７（またはＦ−ＲＯＭ１８）に記録する。ＣＰＵ１０は、正常波形の場合、例えば以下のような処理によって、１心拍の認識、および、心電図の各波を認識する。
（１）１心拍の認識：所定時間の心電波形データ（電位値または電圧値）のサンプリングを行った後、所定の閾値を超える極大値成分であるＲ波と、（所定の閾値を超える極大値成分である）次のＲ波を認識し、ＲＲ間隔を１心拍として認識する。このとき、Ｒ波以外の極大値であるＴ波成分（Ｒ波より周波数が低い）を、ローカットフィルタを利用して除去してもよい。
（２）Ｐ波：Ｒ波の位置から２００〜３００ｍｓｅｃ（ミリ秒）前の位置に存在する極大値をＰ波と認識する。
（３）Ｑ波：Ｒ波の位置の直前に存在する極小値をＱ波と認識する。
（４）Ｓ波：Ｒ波の位置の直後に存在する極小値をＳ波と認識する。
（５）Ｔ波：Ｒ波と次のＲ波の間に存在する極大値をＴ波と認識する。
（６）ＳＴ部：心電図上においてＳ波とＴ波との間を直線補間した場合に、その間の極大値成分となる部分をＳＴ部と認識する。
なお、心電図測定中の患者の動作等によっては、心電図波形中に異常な周期を有するノイズが生じてしまい、認識値の抽出が正確に行われ難い場合も多い。そのようなノイズを除外して正確な認識値データをとる方法として、例えば、特開平６−２６１８７１に開示されている技術を利用してもよい。
５−２．バイタルサインサークルレーダ作成処理の内容
実施形態では、バイタルサインサークルレーダ装置１００のＣＰＵ１０が、患者の心電図およびＳｐＯ２値に基づいてバイタルサインサークルレーダを作成する例を示す。このバイタルサインサークルレーダ作成処理は、心拍１回を単位として行うこととしている。また、心電図データのサンプリング周波数は、例えば、１２５、２５０、５００、１０００Ｈｚ等のいずれかを採用する。
なお、バイタルサインサークルレーダ作成処理は、心拍１回以外の単位や、所定時間単位で行うようにしてもよい。バイタルサインサークルレーダ作成処理の単位、心電図データのサンプリング周波数は、当業者に周知の手段によって変形可能である。
次に、実施形態によるバイタルサインサークルレーダ作成処理プログラムの内容を図６のフローチャート等を参照しながら説明する。
バイタルサインサークルレーダ装置１００のＣＰＵ１０は、ユーザによって選択されたバイタルサイン項目の入力処理を行う（ステップＳ６０１）。ＣＰＵ１０は、ユーザによって選択された予定測定所要時間（「測定所要時間」に対応）の入力処理を行う（ステップＳ６０３）。バイタルサイン項目と予定測定所要時間の入力は、例えば、ＣＰＵ１０がディスプレイ１４に対話形式インターフェイスを出力してユーザの入力を受け付けるようにしてもよいし、これとは別に、あらかじめバイタルサインサークルレーダ装置の仕様として設定しておいてもよい。ここでは、バイタルサイン項目として「ＶＰＣ、ＨＲ、ＱＴ、ＳｐＯ２値」の４項目と、予定測定所要時間として「２０分」があらかじめバイタルサインサークルレーダ装置１００のＦ−ＲＯＭ１８に設定されているものとする。
ＣＰＵ１０は、ステップＳ６０１で入力されたバイタルサイン項目と、ステップＳ６０３で入力された予定測定所要時間とに基づいてサークルレーダをディスプレイ１４に描画する（ステップＳ６０５）。具体的には、予定測定所要時間を、サークルレーダの１周の全体表示時間（「全表示時間」に対応）として設定したサークルレーダを描画する。実施形態では、例として、この”全体表示時間”を予定測定所要時間と同じ時間としているが、これに限らず、予定測定所要時間に所定時間を加えた時間を”全体表示時間”として自動設定するようにしてもよい。
次に、ＣＰＵ１０は、サークルレーダの中央部にバイタルサイン名を表示する（ステップＳ６０７）。具体的には、例えばバイタルサイン項目がＳｐＯ２値で全体表示時間が２０分であれば、ＣＰＵ１０は、ディスプレイ１４にサークルレーダを一つ描画し、その中央部に”ＳｐＯ２”と表示する（図４のサークルレーダ５３参照）。
ＣＰＵ１０は、認識値データおよびＳｐＯ２値の取得処理を行う（図６ステップＳ６０９）。具体的には、ＣＰＵ１０は、ＥＣＧ電極２０および血中酸素飽和度測定装置２２等を介して、認識値データおよびＳｐＯ２値をメモリ１７（またはＦ−ＲＯＭ１８）に記録する。ＣＰＵ１０は、心拍１回分の認識値データが取得できたか否かを判断し（ステップＳ６１０）、取得できていない場合にはステップＳ６０９の処理を繰り返す。図６ステップＳ６１１以降の処理は、心拍１回に対応するバイタルサインサークルレーダ作成処理プログラムの内容である。したがって、生体情報の測定中は、心拍１回毎に図６ステップＳ６１１以降に示すバイタルサインサークルレーダ作成処理プログラムの実行が繰り返されることになる。
ＣＰＵ１０は、それらのデータに基づいて異常判定処理を行う（ステップＳ６１１）。実施形態では、ＶＰＣ、ＨＲ、ＱＴ、ＳｐＯ２値の中から、ステップＳ６０１で入力されたバイタルサイン項目について異常判定処理を行う。
具体的には、ステップＳ６１１において、ＣＰＵ１０は、あらかじめユーザによって選択されたバイタルサイン項目の異常判定処理のサブルーチンを実行する。異常判定処理としてＣＰＵ１０は、ＶＰＣの場合は図７、ＨＲの場合は図８、ＱＴの場合は図９、ＳｐＯ２値の場合は図１０のそれぞれのフローチャートに示す処理を実行する。これらの異常判定処理の内容は、後述する。
ＣＰＵ１０は、上記各バイタルサインの異常判定処理の結果にしたがって、以下のディスプレイ１４への描画処理を行う。
ＣＰＵ１０は、バイタルサインの異常判定処理によって異常状態であると判定されたか否かを判断する（ステップＳ６１３）。正常状態である場合には、ＣＰＵ１０は、そのバイタルサインについての描画エリアを算出し（ステップＳ６１９）、その描画エリアに緑色を描画する（ステップＳ６２１）（図４の正常表示６２参照）。
描画エリアの算出は、測定開始時刻と測定時刻と全体表示時間とに基づいて行う。具体的には、例えば、”測定開始時刻＝０時００分、測定時刻＝０時１０分、全体表示時間＝２０分”の場合は、サークルレーダの表示開始位置から１８０度回転した付近を描画エリアとすればよい。
一方、ＣＰＵ１０は、ステップＳ６１３において、異常状態であると判断した場合には、そのバイタルサインについての描画エリアを算出し（ステップＳ６１５）、その描画エリアに赤色を描画する（ステップＳ６１７）（図４の異常表示６０参照）。描画エリアの算出は、上記正常状態の場合と同様である。
ＣＰＵ１０は、ステップＳ６２１またはステップＳ６１７の処理の後、バイタルサイン測定処理が終了したか否かを判断し（ステップＳ６２３）、終了していないと判断すればステップＳ６０９からの処理を繰り返す。一方、バイタルサイン測定処理が終了したと判断した場合には、ＣＰＵ１０は処理を終了する。
なお、ステップＳ６１１において、ＣＰＵ１０が異常判定処理を行うバイタルサインが複数ある場合には、ステップＳ６１３からステップＳ６２３以前までの処理をそれら複数のバイタルサインについて行った後、ステップＳ６２３の処理を行うこととする。
５−３．バイタルサインの異常判定処理
ＣＰＵ１０が図６ステップＳ６１１で行う異常判定処理について説明する。
異常判定処理は、それぞれ、ＶＰＣの場合は図７、ＨＲの場合は図８、ＱＴの場合は図９、ＳｐＯ２値の場合は図１０のそれぞれのフローチャートに示す処理（バイタルサイン異常判定処理手段）を実行する。以下に説明する異常判定処理においては、ＣＰＵ１０は、メモリ１７（またはＦ−ＲＯＭ１８）に記録された認識値データ、および、異常判定に必要なその他のデータ（それぞれの異常判定処理の項目で詳述）を利用する。
（１）ＶＰＣの異常判定処理
図７は、ＶＰＣの異常判定処理のフローチャートである。ＶＰＣ（心室性期外収縮）の異常判定とは、実施形態では、患者が心室性期外収縮の状態である場合を”異常状態”とし、心室性期外収縮の状態がない場合を”正常状態”とすることとする。
バイタルサインサークルレーダ装置１００のＣＰＵ１０は、メモリ１７（またはＦ−ＲＯＭ１８）に記録された認識値データに基づき、Ｐ波が存在するか否かを判断する（図７ステップＳ７０１）。具体的には、ＣＰＵ１０は、例えば１２誘導の全ての誘導について、Ｒ波の位置から２００〜３００ｍｓｅｃ前の位置に極大値（Ｐ波）が存在するか否かを判断し、少なくとも１以上の誘導においてＰ波が存在する場合には「Ｐ波が存在する」ものと判定する。
Ｐ波が存在すると判断した場合は、ＣＰＵ１０は、判断結果を”正常状態”とする（ステップＳ７０７）。一方、Ｐ波が存在しないと判断した場合には、ＣＰＵ１０は、ＱＲＳ波の主な向きと、Ｔ波の向きとが同じか否かを判断する（ステップＳ７０３）。具体的には、ＣＰＵ１０は、例えば１２誘導の中の少なくとも６以上の誘導において、Ｒ電位（またはＲ波高）の値（例えば、ｍＶ：ミリボルト）の符号（プラスまたはマイナス）と、Ｔ電位（またはＴ波高）の値の符号とが同じである場合には「ＱＲＳ波の主な向きとＴ波の向きとが同じである」と判定する。
ＱＲＳ波の主な向きと、Ｔ波の向きとが同じであると判断した場合には、ＣＰＵ１０は、ステップＳ７０７の処理を行う。一方、ＱＲＳ波の主な向きと、Ｔ波の向きとが同じでないと判断した場合には、ＣＰＵ１０は、ＲＲ間隔が、正常波形の平均ＲＲ間隔の８０％を超えるか否かを判断する（ステップＳ７０５）。具体的には、ＣＰＵ１０は、例えば現在判断中の心拍１回に対する１２誘導全ての誘導のＲＲ間隔（単位例：ｍｓｅｃ（ミリ秒））の平均値が、１２誘導の全ての誘導の過去５分間のＲＲ間隔（異常波形の場合のＲＲ間隔の値を除く）の平均値の８０％を超える場合には「ＲＲ間隔が、正常波形の平均ＲＲ間隔の８０％を超える」ものと判定する。
ＲＲ間隔が、正常波形の平均ＲＲ間隔の８０％を超えると判断した場合には、ＣＰＵ１０は、ステップＳ７０７の処理を行う。一方、ＲＲ間隔が、正常波形の平均ＲＲ間隔の８０％を超えないと判断した場合には、ＣＰＵ１０は、判定結果を”異常状態”とする（ステップＳ７０９）。
次に、ＣＰＵ１０は、ステップＳ７０７またはステップＳ７０９の処理において得られた判定結果に基づき、図６ステップＳ６１３からの処理を行う。
（２）ＨＲの異常判定処理
図８は、ＨＲ（心拍数）の異常判定処理のフローチャートである。ＨＲの異常判定とは、実施形態では、心拍数が所定数以下、あるいは所定数以上の場合を”異常状態”とし、それ以外の場合を”正常状態”とすることとする。ＣＰＵ１０は、例えば、現在判断中の心拍１回に対する１２誘導全ての誘導のＲＲ間隔（単位例：ｓｅｃ（秒））の平均ＲＲ間隔を算出し、６０／平均ＲＲ間隔の演算によって心拍数のデータを取得する。
ＣＰＵ１０は、心拍数が５０（回／分）以下（徐脈）であるか否かを判断する（図８ステップＳ８０１）。心拍数が５０以下であると判断した場合には、ＣＰＵ１０は、判断結果を”異常状態”とする（ステップＳ８０５）。一方、心拍数が５０以下でないと判断した場合には、ＣＰＵ１０は、心拍数が１００以上（頻脈）であるか否かを判断する（ステップＳ８０３）。
心拍数が１００以上であると判断した場合には、ＣＰＵ１０は、ステップＳ８０５の処理を行う。一方、心拍数が１００以上でないと判断した場合には、ＣＰＵ１０は、判定結果を”正常状態”とする（ステップＳ８０７）。
次に、ＣＰＵ１０は、ステップＳ８０５またはステップＳ８０７の処理において得られた判定結果に基づき、図６ステップＳ６１３からの処理を行う。
（３）ＱＴの異常判定処理
図９は、ＱＴ（ＱＴ間隔）の異常判定処理のフローチャートである。ＱＴの異常判定とは、実施形態では、ＱＴ間隔値を補正したＱＴｃ値が所定数以下、あるいは所定数以上の場合を”異常状態”とし、それ以外の場合を”正常状態”とすることとする。ＱＴ間隔値（単位例：ｍｓｅｃ（ミリ秒））は、ＣＰＵ１０は、例えば、現在判断中の心拍１回に対する１２誘導全ての誘導のＱＴｃ値を平均したＱＴｃ値のデータを取得する。なお、ＱＴ間隔値は、例えば、心電図上において、Ｑ波に基づいて得られるＱｂ点の位置と、Ｔ波に基づいて得られるＴｅ点の位置との間隔によって得られる。また、ＱＴｃ値については、ＣＰＵ１０は、例えば、ＱＴ間隔値を√ＲＲ（ルートＲＲ、ＲＲ間隔の平方根）で割ることによって演算する。
ＣＰＵ１０は、ＱＴｃ間隔が０．４６秒以上であるか否かを判断する（図９ステップＳ９０１）。ＱＴｃ間隔が０．４６秒以上（ＱＴ延長）であると判断した場合には、ＣＰＵ１０は、判断結果を”異常状態”とする（ステップＳ９０５）。一方、ＱＴｃ間隔が０．４６秒以上でないと判断した場合には、ＣＰＵ１０は、ＱＴｃ間隔が０．３４秒以下であるか否かを判断する（ステップＳ９０３）。
ＱＴｃ間隔が０．３４秒以下（ＱＴ短縮）であると判断した場合には、ＣＰＵ１０は、ステップＳ９０５の処理を行う。一方、ＱＴｃ間隔が０．３４秒以下でないと判断した場合には、ＣＰＵ１０は、判定結果を”正常状態”とする（ステップＳ９０７）。
次に、ＣＰＵ１０は、ステップＳ９０５またはステップＳ９０７の処理において得られた判定結果に基づき、図６ステップＳ６１３からの処理を行う。
（４）ＳｐＯ２値の異常判定処理
図１０は、ＳｐＯ２値の異常判定処理のフローチャートである。ＳｐＯ２値の異常判定とは、実施形態では、ＳｐＯ２値が所定値以下の場合を”異常状態”とし、それ以外の場合を”正常状態”とすることとする。ＣＰＵ１０は、メモリ１７（またはＦ−ＲＯＭ１８）に記録されたＳｐＯ２値を用いて以下の判断を実行する。
ＣＰＵ１０は、ＳｐＯ２値が９０％以下であるか否かを判断する（図１０ステップＳ１０１）。ＳｐＯ２値が９０％以下であると判断した場合には、ＣＰＵ１０は、判断結果を”異常状態”とする（ステップＳ１０３）。一方、ＳｐＯ２値が９０％以下でないと判断した場合には、ＣＰＵ１０は、判定結果を”正常状態”とする（ステップＳ１０５）。
次に、ＣＰＵ１０は、ステップＳ１０３またはステップＳ１０５の処理において得られた判定結果に基づき、図６ステップＳ６１３からの処理を行う。
５−３．バイタルサインサークルレーダ作成処理の変形例等
以上、実施形態で例示した各バイタルサインの異常判定処理について説明した。実施形態では、図６ステップＳ６１３において、ステップＳ６０１で入力されたバイタルサイン項目全てについて異常判定処理を繰り返し、その後、それらの各バイタルサイン項目全てについて、順にステップＳ６１３の処理以降の描画処理を繰り返す。そして、全てのバイタルサイン項目について描画処理が完了すると、心拍１回についてのバイタルサインサークルレーダ作成処理が完了することになる。
実施形態として説明したバイタルサインサークルレーダ作成処理のアルゴリズムは、これに限らず、その他の実施形態を採用してもよい。例えば、上述のように、全てのバイタルサイン項目について異常判定処理を繰り返した後に、全てのバイタルサインに項目について描画処理を繰り返すアルゴリズムではなく、各バイタルサイン項目について異常判定処理と描画処理とを一連の処理として実行し、その一連の処理を全てのバイタルサイン項目について繰り返すようなアルゴリズムとしてもよい。
その他、実施形態で説明したバイタルサインサークルレーダ作成処理のアルゴリズム、異常判定処理のアルゴリズム、ディスプレイ１４に表示されるカラー等は例示であって、これらは、当業者に周知の手段によって変形可能である。
例えば、図６ステップＳ６１５、Ｓ６１７、Ｓ６１９、Ｓ６２１で行う描画処理については、次のようなバリエーションを採用してもよい。
描画処理のバリエーションは、描画処理の省力化に関するものである。具体的には、ＣＰＵ１０は、図６ステップＳ６１３において正常状態であると判断した場合には、その判断毎にステップＳ６１９からの描画処理を行うのではなく、正常状態であるとの判断が例えば５秒以上継続した場合に、ステップＳ６１９からの処理を行う。一方、図６ステップＳ６１３において異常状態であると判断した場合には、その判断毎にステップＳ６１５からの描画処理を行う。このような描画処理のバリエーションにより、正常状態の場合の描画処理を省力化することが可能となる。なお、上記した正常状態の場合の描画処理の基準となる時間（５秒以上）は例示であって、サークルレーダの全体表示時間の長短に対応させて変更してもよい。
−−６．実施形態による効果−−
実施形態によれば、バイタルサインサークルレーダ装置１００のユーザは、患者のバイタルサインの状態を容易に確認、判断することができる。
従来のバイタルサインの表示手法においては、例えば、所定の時間間隔（例えば最新１分間等）について、生体信号の値（パラメータ）を表示するトレンドグラフを表示したり、あるいは、最新時刻の生体信号を逐次表示するのが一般的であった。この場合、生体信号の異常の履歴を確認することが困難であるという一つの課題がある。
この点、実施形態によるバイタルサインの表示手法では、救急車による患者の搬送時間（一般的に、約１５分または約２０分）の全ての時間をカバーすることが可能なサークルレーダ５０等（図４参照）により、バイタルサインの履歴を容易に確認することができる。したがって、バイタルサインサークルレーダ装置１００のユーザは、いつ頃、どのくらいの頻度で生体信号の異常が起こったのかという情報を簡易に視認することができる。
実施形態では、バイタルサインはサークルレーダ５０等によって表示されるのであるから、ユーザは、各バイタルサインの状態の全体像を把握するにあたって、視野の移動が比較的少なくてよく、測定時間全体のバイタルサインの状態の確認が容易であるというメリットもある。
さらに、実施形態では、正常または異常のいずれかが判断可能なバイタルサインサークルレーダによって表示するから、バイタルサインの元データを表示する場合（例えば、心拍数等の値の変動をグラフ表示する場合）と比べると、患者の病態判断の補助に有益な情報を、より多くディスプレイ内に収めることができるというメリットもある。また、複数のバイタルサインを同時に一括表示することも容易である。
このように、実施形態では、生体信号の値（パラメータ）を、正常状態または異常状態のいずれであるかを判別可能となるようなバイタルサイン表示形態（レーダ表示）に変更して表示することを一つの特徴としている。したがって、ユーザは、生体の異常状態（生体信号の異常値の有無）を直感的に把握することができる。
また、実施形態では、バイタルサインをサークル形状（円形、リング形状、ドーナツ形状）によって表示するため、ディスプレイを視認する患者に対して安心感を与えるという効果も期待できる。
−−７．バイタルサインサークルレーダ装置のその他の機能−−
次に、バイタルサインサークルレーダ装置１００が備える上述のバイタルサインサークルレーダ作成処理以外の機能について説明する。
７−１．心拍状態の表示
バイタルサインサークルレーダ装置１００は、心拍の状態を、所定の記号（マーク）の点滅によって表す（「心拍に関連する情報を表示形態の変化によって示す心拍情報表示手段」）。具体的には、ＣＰＵ１０は、図４に示すように測定中の心臓の鼓動に応じてハートマークを点滅させるようにしている。
これにより、ユーザは、バイタルサインサークルレーダ装置１００が正常に動作中であることを確認することができ、かつ、患者の心拍の状態を把握することができる。なお、マークの点滅とともに、あるいはマークの点滅に代えて、心臓の鼓動に応じてスピーカ１５から音声（例えばピッチ音等）を出力するようにしてもよい。
７−２．解析不能状態の警告
バイタルサインサークルレーダ装置１００は、バイタルサインサークルレーダ作成処理中に、患者の身体に取り付けたＥＣＧ電極２０等が外れた場合やバイタルサインサークルレーダ作成処理のトラブルが発生した場合等に、所定の警告を表示する（「バイタルサインの判断が不能な状態に警告信号を出力する警告信号出力手段」）。具体的には、ＣＰＵ１０は、”電極はずれ”等の警告メッセージをディスプレイ１４の”診断情報”の表示エリアに表示する。
これにより、ユーザは、バイタルサインサークルレーダ作成処理が事故によって中断されていることを迅速に確認することができる。なお、ＣＰＵ１０は、警告メッセージに代えて、ユーザの注意を喚起するためにディスプレイの全体または一部の色を変更したり、警告音声（アラーム音等）を出力するようにしてもよい。
−−８．その他の実施形態等−−
８−１．バイタルサイン表示方法変形例
実施形態では、バイタルサインサークルレーダ装置１００によるバイタルサインのディスプレイ表示として図４を例示したが、これに限られるものではない。バイタルサインのディスプレイ表示のその他の実施形態として、図１１に例示するような表示方法を採用してもよい。以下、各表示方法の概要を説明する。
図１１Ａは、バイタルサインを棒状レーダによって表示するものである。図では、ディスプレイ１４にＶＰＣ等のレーダ７０が表示される例を示している。具体的には、患者のバイタルサインの測定経過にしたがって、画面左から画面右へ表示ポイントが移動する。正常状態および異常状態の表示方法は、上述した実施形態の場合と同様である。また、棒状レーダの全表示時間は、ユーザによって選択された測定所要時間に応じて決定すればよい。
図１１Ｂは、バイタルサインをループ状レーダ（リング状レーダ、ドーナツ状レーダ）によって表示するものである。図は、ディスプレイ１４にＳｐＯ２値等のレーダ８０が表示される例を示している。この表示方法は、上述した実施形態とは違い、現在時刻のバイタルサインの表示が固定される一方で、測定開始時の位置が移動することとしている。具体的には、測定開始時の表示ポイント８３は、測定経過にしたがって時計回りの方向に移動し、一方、現在の測定時刻（最新の測定時刻）の表示ポイント８２は、レーダ８０の上部中央に位置するようにしている。また、異常状態を示す異常表示８４として、レーダ８０の外部に所定のマークを表示することにより、正常状態の表示方法とは表示形態を区別させている。
図１１Ｃは、バイタルサインをラインによって表示するものである。図は、ディスプレイ１４にＶＰＣのライン９０が表示される例を示している。具体的には、患者のバイタルサインの測定経過にしたがって、画面中央上部から時計回りへ表示ポイント９１が移動する。異常状態の場合は、ライン９０上に、異常状態を示す異常表示９２または異常表示９３が表示される。
実施形態では、「バイタルサイン表示手段」として、バイタルサインをディスプレイ１４に表示する例を示した。この「バイタルサイン表示手段（バイタルサイン出力手段）」のその他の実施形態として、バイタルサインをメモリカード、ＣＤ−ＲＯＭ等の記録媒体へ出力したり、通信手段（電話回線、無線通信、インターネット、有線、赤外線通信、携帯電話、Ｂｌｕｅｔｏｏｔｈ、ＰＨＳ等）に対して出力、あるいは、プリントアウト（印刷）によるハードコピーとしての出力、ファクシミリによる出力等を採用してもよい。
なお、特許請求の範囲に記載する「バイタルサイン表示物」は、バイタルサインを視覚的に認識可能に出力されたもの一般を含む概念である。例えば、バイタルサインをディスプレイ上に表示したもの、または、ハードコピーとして出力されたもの、または、ファクシミリによって出力されたもの等がこの概念に含まれる。
８−２．異常状態表示変形例
実施形態では、生体が異常状態（生体信号が異常値）である場合のバイタルサインの表示方法として、対応する表示ポイントを赤色で描画処理する例を示したが（図４の異常表示６０参照）、これに限られるものではない。異常状態表示のその他の実施形態として、次の表示方法を採用してもよい。
異常状態表示の第１のバリエーションは、異常状態の表示ポイントをブリンク（点滅表示）させる手法である。具体的には、図４の異常表示６０を赤色等でブリンクさせればよい。
異常状態表示の第２のバリエーションは、異常値のレベルに応じて表示形態を変化させる手法である。具体的には、異常値の異常の程度（重篤度または重症度等を含む）をレベル付け（ランク付け）して、そのレベルに応じて表示ポイントのカラー（例えば、彩度、明度、色相等）を変化させればよい。以下のチャートは、心拍数（ＨＲ）の場合の異常値のレベル付けを例示するものである。
・  ＨＲ＜３０  →  異常レベル＝−２（徐脈）
・  ３０≦ＨＲ＜５０  →  異常レベル＝−１（徐脈）
・  ５０≦ＨＲ≦１２０  →  異常レベル＝０（正常値）
・  １２０＜ＨＲ≦１８０  →  異常レベル＝１（頻脈）
・  １８０＜ＨＲ  →  異常レベル＝２（頻脈）
以上のような異常値のレベルに基づき、異常レベルが大きければ、例えば異常表示６０（図４参照）の”赤色”の彩度を高くして表示する処理を行うことにより（「バイタルサイン異常レベル表示手段」としての機能）、ユーザに対してより詳細な異常情報を提供することができる。
なお、異常値のレベルに応じた表示形態の変化は、上記のようなものに限らず、例えば、表示ポイントの大きさを変化させることとしてもよい。例えば、図１１Ｃに示すように、異常表示９３の場合は異常レベルが低く、より丸印の大きい異常表示９２の場合は異常レベルが高いことを表すようにすることもできる。
８−３．装置構成変形例
実施形態では、バイタルサインサークルレーダ装置１００は、心電図の測定およびバイタルサインサークルレーダの表示の両方を行うこととしたが、それらの機能を２以上の別々の装置によって構成してもよい。そのような装置構成として、心電図の測定と心電図データの出力とを行う装置、および、入力された心電図データに基づいてバイタルサインサークルレーダを表示する装置（「バイタルサイン表示装置」に対応）を組み合わせた装置構成を採用してもよい。
その他、心電図の測定処理、ＳｐＯ２値測定処理、異常判定処理、バイタルサイン表示処理のそれぞれを実行する装置構成（装置の数、組み合わせ等）、ＣＰＵ構成等は、当業者に周知の手段によって変形可能である。
例えば、上述した実施形態では、バイタルサインサークルレーダ装置１００のＣＰＵ１０が、図１０のフローチャートにしたがってＳｐＯ２値の異常判定を行っているが、これに限らず、血中酸素飽和度測定装置２２のＣＰＵが異常判定を行い、その判定結果（「生体信号に基づいて生成される信号」に対応。例えば、正常信号または異常信号、あるいは、正常信号または異常信号のいずれかが含まれる）をＣＰＵ１０に渡すようにしてもよい。
その他、実施形態では、心電図データおよびＳｐＯ２値に基づいてバイタルサインを表示することとしているが、これに限られるものではない。その他の実施形態として、血中酸素飽和度測定装置２２以外の周辺装置をバイタルサインサークルレーダ装置１００に接続するようにしてもよい。具体的には、周辺装置として血圧測定装置をバイタルサインサークルレーダ装置１００に接続し、バイタルサインとして”血圧（Ｂｌｏｏｄ  Ｐｅｓｓｕｒｅ（ＢＰ））”を表示するようにしてもよい。
８−４．バイタルサインサークルレーダ装置適用実施例
実施形態では、バイタルサインサークルレーダ装置１００を、救急車内で使用するケースを例示したが、これに限られるものではなく、救急医療現場に携帯できるようにしたり、あるいは、家庭に設置して在宅医療用に利用したり、人または動物を含む生体に対して広く利用することもできる。
また、バイタルサインサークルレーダ装置１００と同様の機能を有するデバイスを、自動車や電車の運転席、飛行機のコックピット等に設置して、心筋梗塞等の発作によって重大な事故につながる可能性を未然に防止したり、トイレの便座等に設置して日常の健康管理用に応用することもできる。このとき、ＥＣＧ電極２０等は、対象者の身体が接触する必然性のある部位、例えば、ハンドルや便座、手すり等に設置する必要がある。
８−５．プログラム実行方法等の実施例
本実施形態では、ＣＰＵ１０の動作のためのプログラムをＦ−ＲＯＭ１８に記憶させているが、このプログラムは、プログラムが記憶されたＣＤ−ＲＯＭから読み出してハードディスク等にインストールすればよい。また、ＣＤ−ＲＯＭ以外に、ＤＶＤ−ＲＯＭ、フレキシブルディスク（ＦＤ）、ＩＣカード等のプログラムをコンピュータ可読の記録媒体からインストールするようにしてもよい。さらに、通信回線を用いてプログラムをダウンロードさせることもできる。また、ＣＤ−ＲＯＭからプログラムをインストールすることにより、ＣＤ−ＲＯＭに記憶させたプログラムを間接的にコンピュータに実行させるようにするのではなく、ＣＤ−ＲＯＭに記憶させたプログラムを直接的に実行するようにしてもよい。
なお、コンピュータによって、実行可能なプログラムとしては、そのままインストールするだけで直接実行可能なものはもちろん、一旦他の形態等に変換が必要なもの（例えば、データ圧縮されているものを解凍する等）、さらには、他のモジュール部分と組合して実行可能なものも含む。
以上、本発明の概要および本発明の好適な実施形態を説明したが、各用語は、限定のために用いたのではなく説明のために用いたのであって、本発明に関連する技術分野の当業者は、本発明の説明の範囲内でのシステム、装置、及び方法のその他の変形を認め実行することができる。したがって、そのような変形は、本発明の範囲内に入るものとみなされる。
2004019779.tif 000003
【図２】
2004019779.tif 000004
【図３】
2004019779.tif 000005
【図４】
2004019779.tif 000006
【図５】
2004019779.tif 000007
【図６】
2004019779.tif 000008
【図７】
2004019779.tif 000009
【図８】
2004019779.tif 000010
【図９】
2004019779.tif 000011
【図１０】
2004019779.tif 000012
2004019779.tif 000013
【国際調査報告】
2004019779.tif 000014
2004019779.tif 000015
2004019779.tif 000016
2004019779.tif 000017
2004019779.tif 000018
2004019779.tif 000019
2004019779.tif 000020